(57)【要約】【課題】  複数種類の個人認証を組み合わせて認証精度を高める装置において全体の処理時間の短縮化を図り被認証者の待機時間の短縮を図る。【解決手段】  第１認証部２で被認証者に対し第１種類の個人認証を行い、第１認証部２の個人特徴情報抽出部２３で得られた被認証者の個人特徴情報に基づきカメラ移動部３４がカメラ３１をプリセットし、照明選択部３５が照明位置をプリセットし、カメラ３１により撮像された前記被認証者の撮像画像データに基づいて第２認証部３で第２種類の個人認証を行い、総合処理部４で第１認証部２の認証結果と第２認証部３の認証結果とを総合判定する。個人特徴情報に基づいて、良好な画像が撮像される位置にカメラ３１をプリセットするため、カメラ位置を探索する時間の短縮が図れる。【選択図】  図１
2005258860.tif 000002
【特許請求の範囲】
【請求項１】
第１認証部で被認証者に対し第１種類の個人認証を行い、前記第１認証部で得られた前記被認証者の個人特徴情報に基づきプリセットされた撮像手段により撮像された前記被認証者の撮像画像データに基づいて第２認証部で第２種類の個人認証を行い、総合処理部で前記第１認証部の認証結果と前記第２認証部の認証結果とを総合判定することを特徴とする複数認証方法。
【請求項２】
前記第１種類の個人認証は、ＩＤカードによる個人認証、指紋による個人認証、声紋による個人認証、静脈の紋様による個人認証のうちの１つであり、前記第２種類の個人認証は、虹彩画像による個人認証、網膜の紋様による個人認証、顔の特徴形状による個人認証のうちの１つであることを特徴とする請求項１に記載の複数認証方法。
【請求項３】
撮影方向または照明方向の少なくとも一方を前記プリセットすることを特徴とする請求項１または請求項２に記載の複数認証方法。
【請求項４】
前記個人特徴情報は、身長情報あるいは眼鏡の有無情報のうちの少なくとも一方を含むことを特徴とする請求項１乃至請求項３のいずれかに記載の複数認証方法。
【請求項５】
前記第２認証部での第２種類の個人認証結果に基づいて、前記第１認証部に記録された個人特徴情報の更新を行うことを特徴とする請求項１乃至請求項４のいずれかに記載の複数認証方法。
【請求項６】
被認証者に対して第１種類の個人認証を行う第１認証部と、前記第１認証部で得られた前記被認証者の個人特徴情報によりプリセットされた撮像手段で撮像された前記被認証者の撮像画像データに基づいて第２種類の個人認証を行う第２認証部と、前記第１認証部の認証結果と前記第２認証部の認証結果とに基づいて総合認証結果を出力する総合処理部とを備えることを特徴とする複数認証装置。
【請求項７】
前記第１種類の個人認証は、ＩＤカードによる個人認証、指紋による個人認証、声紋による個人認証、静脈の紋様による個人認証のうちの１つであり、前記第２種類の個人認証は、虹彩画像による個人認証、網膜の紋様による個人認証、顔の特徴形状による個人認証のうちの１つであることを特徴とする請求項６に記載の複数認証装置。
【請求項８】
撮影方向または照明方向の少なくとも一方を前記プリセットすることを特徴とする請求項６または請求項７に記載の複数認証装置。
【請求項９】
前記個人特徴情報は、身長情報あるいは眼鏡の有無情報のうちの少なくとも一方を含むことを特徴とする請求項６乃至請求項８のいずれかに記載の複数認証装置。
【請求項１０】
前記第１認証部は前記被認証者の個人特徴情報を記録する個人特徴情報蓄積手段を有し、前記第２認証部での第２種類の個人認証結果に基づいて前記個人特徴情報蓄積手段に記録された個人特徴情報を更新することを特徴とする請求項６乃至請求項９のいずれかに記載の複数認証装置。
【発明の詳細な説明】
【技術分野】
【０００１】
本発明は、個人認証を複数種類行って認証精度の向上を図る複数認証方法及びその装置に係り、特に、複数種類の認証処理を短時間で行うことができる複数認証方法及びその装置に関する。
【背景技術】
【０００２】
ＩＤカードによる個人認証、指紋による個人認証、静脈の紋様による個人認証、顔の形状特徴による個人認証、虹彩による個人認証、網膜の紋様による個人認証など、様々な種類の個人認証方法がある。
【０００３】
しかし、いずれの個人認証方法も、認証精度を１００％に近づけるほど、高機能な認証装置が必要となってコストが嵩み、普及の妨げになるため、個人認証を行うに当たり、複数種類の認証処理を行うことで、個々の認証装置の高機能化を図ることなく、認証精度を向上させたものもある（特許文献１、２、３参照）。
【０００４】
【特許文献１】特開２００２―２３０５５３号公報
【特許文献２】特開２００３―３０１５４号公報
【特許文献３】特開２００３―５８５０８号公報
【発明の開示】
【発明が解決しようとする課題】
【０００５】
しかしながら、複数種類の認証処理による個人認証では、例えば、ＩＤカードによる認証処理を行った後に、虹彩による認証処理を行うため、全体の認証処理時間が長時間となり、結果として被認証者の待機時間が長くなるという問題が生じてしまう。
【０００６】
本発明の目的は、複数種類の認証処理を短時間で行い、被認証者の待機時間を短くすることができる複数認証方法及びその装置を提供することにある。
【課題を解決するための手段】
【０００７】
本発明の複数認証方法及びその装置は、第１認証部で被認証者に対し第１種類の個人認証を行い、前記第１認証部で得られた前記被認証者の個人特徴情報に基づきプリセットされた撮像手段により撮像された前記被認証者の撮像画像データに基づいて第２認証部で第２種類の個人認証を行い、総合処理部で前記第１認証部の認証結果と前記第２認証部の認証結果とを総合判定することを特徴とする。
【０００８】
この構成により、第２認証部による撮像手段で短時間に良好な画像を取得できるため、全体の認証処理に要する時間の短縮化を図ることができる。
【０００９】
本発明の複数認証方法及びその装置における前記第１種類の個人認証は、ＩＤカードによる個人認証、指紋による個人認証、声紋による個人認証、静脈の紋様による個人認証のうちの１つであり、前記第２種類の個人認証は、虹彩画像による個人認証、網膜の紋様による個人認証、顔の特徴形状による個人認証のうちの１つであることを特徴とする。
【００１０】
この構成により、様々な種類の認証方法を組み合わせることができ、目的に応じたセキュリティの高い最適な複数認証装置を構成可能となる。
【００１１】
本発明の複数認証方法及びその装置では、撮影方向または照明方向の少なくとも１方を前記プリセットすることを特徴とする。
【００１２】
この構成により、第２認証部で行う認証処理に適した画像を迅速に取得可能となる。
【００１３】
本発明の複数認証方法及びその装置における前記個人特徴情報は、身長データあるいは眼鏡の有無データのうちの少なくとも一方を含むことを特徴とする。
【００１４】
この構成により、第２認証部で行う認証処理に適した画像を迅速に取得可能となる。
【００１５】
本発明の複数認証方法及びその装置では、前記第２認証部での第２種類の個人認証結果に基づいて、前記第１認証部に記録された個人特徴情報の更新を行うことを特徴とする。
【００１６】
この構成により、次回の認証時に、プリセットや検出範囲の基準を更新でき、迅速な次回の認証処理に要する時間の短縮を図ることができる。
【発明の効果】
【００１７】
本発明によれば、複数種類の個人認証を組み合わせて認証精度を高める認証装置を構成しても、全体の処理時間の短縮を図ることができ、被認証者の待機時間を短くすることで可能となる。
【発明を実施するための最良の形態】
【００１８】
以下、本発明の一実施形態について、図面を参照して説明する。
【００１９】
（第１の実施形態）
図１は、本発明の第１の実施形態に係る複数認証装置の機能ブロック図である。この複数認証装置１は、ＩＤカードによる個人認証を行う第１認証部２と、虹彩画像による個人認証を行う第２認証部３と、第１認証部２の認証結果と第２認証部３の認証結果とから個人認証を総合判定する総合処理部４とから成る。
【００２０】
第１認証部２は、被認証者が所持するＩＤカードのＩＣに記録されているデータを読み取る個人情報読取部（カードリーダ）２１と、読み取られたＩＣの記録データを自身のデータベース内の個人情報と照合する第１照合部２２と、読み取られたＩＣの記録データから「身長情報」、「眼鏡を掛けているか否かの情報」等の個人特徴情報を抽出する個人特徴情報抽出部２３とを備える。
【００２１】
第２認証部３は、被認証者の虹彩画像を撮像する撮像部３１と、撮像された虹彩画像の特徴を抽出し自身のデータベース内に登録されている登録者の虹彩画像の特徴と照合する第２照合部３２とを備える。
【００２２】
撮像部３１は、被認証者の虹彩画像を撮像する撮像手段としての個人情報読取部すなわちカメラ３３と、このカメラ３３をパン操作、チルト操作するカメラ移動部３４と、被認証者の目の方向に近赤外光による照明光を照射する複数の近赤外光照明具の中から実際に使用する照明具を選択する照明選択部３５とを備える。カメラ移動部３４と照明選択部３５は、第１認証部２の個人特徴情報抽出部２３と配線３６で接続され、個人情報抽出部２３で抽出された身長データや眼鏡の有無のデータを受信する構成となっている。
【００２３】
総合処理部４は、第１照合部２２の照合結果と第２照合部３２の照合結果とを取り込んで被認証者が登録者であるか否かを総合的に判定する総合判定部４１と、総合判定した照合結果を出力する照合結果出力部４２とを備える。
【００２４】
上述した複数認証装置１は、セキュリティ対策を図る部屋等に設置されるが、個人情報読取部２１及び個人特徴情報抽出部２３と撮像部３１とは部屋等のドア近くの壁に設置され、それ以外の本体部分は部屋内に設置される。
【００２５】
図２は、複数認証装置１のうち、部屋等のドア近くの壁に設置される部分の外観正面図であり、カードリーダ用の筐体６内に第１認証部２の個人情報読取部２１と個人特徴情報抽出部２３とが収納され、カメラ用の筐体７内に第２認証部３の撮像部３１が収納され、両者間が配線３６で接続される。
【００２６】
この実施形態では、図２に示す様に、第１認証部２の個人情報読取部２１を収納する筐体６と、第２認証部３の撮像部３１を収納する筐体７とを別体としているが、図３に示す様に、１つの筐体８内に、個人情報読取部２１及び個人特徴情報抽出部２３と撮像部３１とを一緒に収納する構成でも良い。
【００２７】
図４は、上述した構成の複数認証装置の処理手順を示すフローチャートである。被認証者が認証のために図２の撮像部３１（筐体７）の前に立ち、自身が所持するＩＤカードを筐体６の前部にかざす（ステップＳ１）と、図１のカードリーダ２１がＩＤカード内のＩＣに記録されているデータを読み取る（ステップＳ２）。
【００２８】
次に、カードリーダ２１が読み取った記録データを第１照合部２２に渡すと、第１照合部２２は、図示しないデータベースの登録データと記録データとの照合処理を開始する（ステップＳ３）。また、カードリーダ２１が記録データを第１照合部２２に渡す処理と並行して、読み取った記録データの中から個人の特徴を示す情報、例えば身長情報や眼鏡を掛けているか否かの情報を抽出する処理（ステップＳ４）を行い、抽出した個人特徴情報を第２認証部３のカメラ移動部３４及び照明選択部３５に送信する（ステップＳ５）。
【００２９】
個人特徴情報を受信したカメラ移動部３４は、身長情報からカメラ３３の向く方向が被認証者の目の位置となるようにカメラ３３をパン操作、チルト操作してプリセットする（ステップＳ６）。また、照明選択部３４は、被認証者が眼鏡を掛けているか否かの情報に従って、複数の照明具の中から、照明具がカメラ３３内に映り込まない照明具を選択し、この照明具を点灯する（ステップＳ７）
次に、カメラ３３の固体撮像素子から動画像データとして出力される映像データを解析して被認証者の虹彩画像が最適に撮像できる位置にカメラ３３の向く方向を微調整したりフォーカス位置にレンズ位置を調整し（ステップＳ８）、そして、照合用の虹彩画像を撮像する（ステップＳ９）。
【００３０】
虹彩画像が撮像された後は、その虹彩画像が照合処理に適切な画像であるか否かを判定し（ステップＳ１０）、ピンボケの画像であったり照明具の映像が虹彩にかかった画像であったりした場合には、上記のステップＳ７の処理に戻り、再度、虹彩画像の撮像を行う。
【００３１】
撮像された虹彩画像が照合処理に適する画像の場合には、その虹彩画像を第２照合部３２に渡し、第２照合部３２は、この虹彩画像から抽出した特徴データと、データベースに登録されている虹彩画像の特徴データとの照合処理を行う（ステップＳ１１）。そして、総合判定部４１は、第１照合部２２の照合結果と第２照合部３２の照合結果とから被認証者が登録者であるか否かを判定し（ステップＳ１２）、判定結果を出力する（ステップＳ１３）。
【００３２】
以上述べた実施形態によれば、ＩＤカードによる個人認証処理に要する時間と、虹彩画像による個人認証処理に要する時間とを足し合わせた時間よりも短い時間で両方の認証処理を行うことが可能となる。それは、次の理由による。
【００３３】
虹彩画像による認証処理を行うには、被認証者の虹彩画像を撮像する必要があるが、この虹彩画像を撮像するまでに時間がかかる。例えば、２カメラ方式では、先ず、広角カメラによる撮像画像中から、顔の画像が存在する部分をパターンマッチング処理で探し、探し当てた顔の位置から右目または左目の位置を算出し、この目の位置に望遠カメラが向くようにパン操作、チルト操作を行う処理が必要であり、これに長時間を要する。
【００３４】
また、被認証者が眼鏡を掛けている場合と、眼鏡を掛けていない場合とで、虹彩画像中に映り込んでしまう照明具の位置が異なってくる。従来の場合には、複数存在する照明具を順に点灯しながら虹彩画像を撮像し、虹彩画像中の高輝度領域すなわち照明具が映り込んだ領域が無いか、或いは少ない虹彩画像が得られる様に照明具の選択処理と虹彩画像の撮像処理を繰り返さなければならず、長時間を要していた。
【００３５】
これに対し、本実施形態では、ＩＤカード内に記録されている被認証者の身長情報から被認証者の顔あるいは目の位置を推定してカメラの向く位置をプリセットするため、被認証者の顔や目の位置を探す処理を大幅に省くことができる。また、被認証者が眼鏡を掛けているか否かをＩＤカード内の記録データから知ることができるため、虹彩画像中に映り込まない照明具を予め選択でき、照明具の選択処理が短時間で可能となる。
【００３６】
（第２の実施形態）
図５は、本発明の第２の実施形態に係る複数認証装置５０の機能ブロック図であり、図１に示す第１の実施形態と比べてその構成は殆ど同じであるため、同一機能を有するブロックには同一符号を付してその詳細な説明は省略する。
【００３７】
第１の実施形態では、被認証者の身長や眼鏡を掛けているか否か等の個人特徴情報がＩＤカードに記録されていたため、個人情報読取部２１が個人特徴情報を読み取って第２認証部３に送信していた。これに対し、本実施形態では、これらの個人特徴情報が第１照合部２２内のデータベース（個人情報蓄積手段）に記録されており、第１照合部２２がＩＤカードの記録データを照合して確認した被認証者の個人特徴情報を個人特徴情報抽出部２３がデータベースから抽出し、第２認証部３のカメラ移動部３４と照明選択部３５に送信する構成としている。
【００３８】
更に、本実施形態では、データベース内の個人特徴情報を更新する個人特徴情報更新部２４が第１認証部２に設けられ、被認証者の個人特徴情報を抽出する個人特徴情報抽出部３７が第２認証部３に設けられる。
【００３９】
図６は、第２の実施形態に係る複数認証装置における処理手順を示すフローチャートである。第１の実施形態に係る図４に示すフローチャートと比較して、違うのは、ステップＳ４の処理を行う位置だけであり、その他は図４のフローチャートと同じである。即ち、本実施形態では、ＩＤカードの記録データの照合を行って被認証者を認証した後、その者の個人特徴情報をデータベースの蓄積データから抽出する構成となっている。以後の処理手順及び処理内容は第１の実施形態と同じであるので同一処理内容のステップには同一ステップ番号を付してその説明は省略する。
【００４０】
本実施形態によっても、迅速にＩＤカードによる認証と虹彩画像による認証を短時間で行うことが可能となる。
【００４１】
図５に示す実施形態において、第１認証部に個人特徴情報更新部２４を設け、第２認証部３に個人特徴情報抽出部３７を設けている。これらは、次の様な処理を行う。
【００４２】
例えば、被認証者が成長期にあり身長が伸びている最中の場合には、データベースの蓄積データと異なる身長となることがある。あるいは眼が悪くなって眼鏡を掛ける様になることもある。斯かる場合には、今回の認証時に求めた身長等の特徴情報はデータベース内の特徴情報と異なることになる。そこで、今回の認証時に得られた被認証者の特徴情報を個人特徴情報抽出部３７で抽出し、この抽出した特徴情報をデータベース内の特徴情報と比較して不一致となった場合には、個人特徴情報更新部２４によってデータベース内の特徴情報を更新する。これにより、次回の認証処理の短縮が可能となる。
【００４３】
この個人特徴情報抽出部３７と、個人特徴情報更新部２４を、第１の実施形態に適用すれば、新しく検出した個人特徴情報でＩＤカードの内容を書き換え更新することができる。
【００４４】
この第２の実施形態は、他の種類の複数認証装置に応用することができる。ＩＤカードによる認証を、例えば、指紋による認証、あるいは、指の静脈の紋様による認証、掌紋による認証、音声（声紋）による認証等に置き換えることができる。そして、これら１番目の認証結果により個人特徴情報をデータベースの蓄積データから抽出し、２番目の認証に使用するカメラのプリセット等に利用することで、全体の認証処理時間の短縮化を図ることができる。
【００４５】
２番目の認証処理は、虹彩画像による認証処理として説明したが、カメラ（撮像手段）を用いる認証処理であれば、虹彩画像による認証に限定されるものではない。顔全体をカメラで撮像して顔の特徴形状により認証するものでも、また、網膜の紋様による認証でも良い。
【産業上の利用可能性】
【００４６】
本発明は、複数種類の認証処理を短時間に行うことができるという効果を奏し、認証精度の高い個人認証装置に適用すると有用である。
【図面の簡単な説明】
【００４７】
【図１】本発明の第１の実施形態に係る複数認証装置のブロック構成図
【図２】本発明の第１の実施形態に係る複数認証装置の外観正面図
【図３】本発明の第１の実施形態に係る複数認証装置の変形例を示す外観正面図
【図４】本発明の第１の実施形態に係る複数認証装置の処理手順を示すフローチャート
【図５】本発明の第２の実施形態に係る複数認証装置のブロック構成図
【図６】本発明の第２の実施形態に係る複数認証装置の処理手順を示すフローチャート
【符号の説明】
【００４８】
１、５０  複数認証装置
２  第１認証部
３  第２認証部
４  総合処理部
６  カードリーダ用の筐体
７  カメラ用の筐体
２１  個人情報読取部
２２  第１照合部
２３  個人特徴情報抽出部
２４  個人特徴情報更新部
３１  撮像部
３２  第２照合部
３３  個人情報読取部（カメラ：撮像手段）
３４  カメラ移動部
３５  照明選択部
３７  個人特徴情報抽出部
４１  総合判定部
４２  照合結果出力部
【図１】
2005258860.tif 000003
【図２】
2005258860.tif 000004
【図３】
2005258860.tif 000005
【図４】
2005258860.tif 000006
【図５】
2005258860.tif 000007
【図６】
2005258860.tif 000008